(57)【要約】【課題】消費電力や騒音の増大を防止でき、しかも風呂循環路の配管の凍結を確実に防止することができる貯湯式給湯装置を提供する。【解決手段】外気温度（Ｔ３）が所定温度以下と判断された場合には、まず切替弁５０を第１の状態にして、加熱していない浴槽水がバイパス管４９を通るように浴槽Ｂとの間で循環させて凍結防止運転を所定時間実行する。所定時間経過後、ふろ温度（Ｔ６）が所定温度未満の場合には、切替弁５０を第２の状態に切り替えて、ふろ熱交換器４３で加熱された浴槽水を浴槽Ｂとの間で循環させて凍結防止運転を実行する。【選択図】図１
2007147153.tif 000002
【特許請求の範囲】
【請求項１】
加熱された貯湯水を貯湯する貯湯タンクと、
この貯湯タンク内の温水を加熱する加熱手段と、
前記貯湯タンク内に設けられ、貯湯された温水と浴槽の浴槽水との熱交換をする熱交換器と、
前記熱交換器と、浴槽水を熱交換器に流す風呂往き管と、熱交換器を通過した浴槽水を浴槽に流す風呂戻り管とからなる風呂循環路と、
前記風呂循環路内を流れる浴槽水の温度を検知する温度検知手段と、
浴槽水を風呂循環路に循環させる風呂ポンプと、
前記風呂往き管に設けられた切替弁と、
一端が熱交換器の下流側に接続され、他端が切替弁に接続されたバイパス管と、を備えた貯湯式給湯装置において、
前記切替弁を動作して浴槽水を風呂往き管からバイパス管を通過して風呂戻り管に戻す第１の状態で所定時間浴槽水を循環させ、所定時間経過後の風呂循環路内の浴槽水の温度が所定温度未満のときに、切替弁を動作して浴槽水を風呂往き管から熱交換器を通過して風呂戻り管に戻す第２の状態で浴槽水を風呂循環路に循環させることを特徴とする貯湯式給湯装置。
【請求項２】
外気温を検知する外気温度検知手段を備え、前記外気温度検知手段が検知する外気温が所定温度以下になったときに第１の状態で所定時間浴槽水を循環させ、所定時間経過後の風呂循環路内の浴槽水の温度が所定温度未満のときに、切替弁を動作して浴槽水を風呂往き管から熱交換器を通過して風呂戻り管に戻す第２の状態で浴槽水を風呂循環路に循環させ、風呂循環路内の浴槽水の温度が所定温度以上になったときに第１の状態に戻すことを特徴とする請求項１に記載の貯湯式給湯装置。
【発明の詳細な説明】
【技術分野】
【０００１】
本発明は、貯湯タンクと浴槽との間の配管の凍結を防止することができる貯湯式給湯装置に関する。
【背景技術】
【０００２】
従来、貯湯式給湯装置では、浴槽に湯張りされた浴槽水が冷めたときに、これを温めるための追い焚き機能や、浴槽に湯張りされた浴槽水を一定温度に保つための保温機能などが搭載されたものがある。これら追い焚き機能や保温機能は、例えば、加熱手段と浴槽との間に温水を循環させる風呂循環路を設けて、浴槽から取り出した温水を加熱手段で加熱して浴槽に戻す循環方式によって行われている。しかし、寒冷地や冬季など気温が氷点下まで下がるような低温環境での使用においては風呂循環路に用いられている配管が凍結するおそれがある。このような凍結を防止するため、風呂循環路に加熱手段をバイパスするバイパス管を設けて、浴槽内の温水を循環させることが行われている（特許文献１参照）。
【特許文献１】特開２００３−５００４８号公報（図１）
【発明の開示】
【発明が解決しようとする課題】
【０００３】
しかし、従来の貯湯式給湯装置では、低温環境下での使用においてバイパス管を通るように温水を循環させていると、次第に温水の温度が低下して凍結するという問題があった。そこで、この対策として風呂ポンプを連続運転させる制御も考えられるが、風呂ポンプ作動時の騒音が長期に及んだり、消費電力が増大するという問題がある。また、配管に凍結防止用のヒータを用いる方法もあるが、これでは消費電力がさらに大きくなる。
【０００４】
本発明は、前記従来の課題を解決するものであり、消費電力や騒音の増大を防止でき、しかも風呂循環路の配管の凍結を確実に防止することができる貯湯式給湯装置を提供することを目的とする。
【課題を解決するための手段】
【０００５】
本発明の貯湯式給湯装置は、加熱された貯湯水を貯湯する貯湯タンクと、この貯湯タンク内の温水を加熱する加熱手段と、前記貯湯タンク内に設けられ、貯湯された温水と浴槽の浴槽水との熱交換をする熱交換器と、前記熱交換器と、浴槽水を熱交換器に流す風呂往き管と、熱交換器を通過した浴槽水を浴槽に流す風呂戻り管とからなる風呂循環路と、前記風呂循環路内を流れる浴槽水の温度を検知する温度検知手段と、浴槽水を風呂循環路に循環させる風呂ポンプと、前記風呂往き管に設けられた切替弁と、一端が熱交換器の下流側に接続され、他端が切替弁に接続されたバイパス管と、を備えた貯湯式給湯装置において、前記切替弁を動作して浴槽水を風呂往き管からバイパス管を通過して風呂戻り管に戻す第１の状態で所定時間浴槽水を循環させ、所定時間経過後の風呂循環路内の浴槽水の温度が所定温度未満のときに、切替弁を動作して浴槽水を風呂往き管から熱交換器を通過して風呂戻り管に戻す第２の状態で浴槽水を風呂循環路に循環させることを特徴とする。
【０００６】
本発明によれば、まず浴槽水をバイパス管を介して循環させ、その後必要に応じて浴槽水を熱交換器を通して循環させることにより、風呂循環路の凍結を確実に防止できる。したがって、ヒータを用いる必要がないので消費電力を削減できる。また熱交換器を通して浴槽水を循環させることができるので、ふろポンプが長時間駆動して騒音が増大するのを防止できる。
【０００７】
また、外気温を検知する外気温度検知手段を備え、前記外気温度検知手段が検知する外気温が所定温度以下になったときに第１の状態で所定時間浴槽水を循環させ、所定時間経過後の風呂循環路内の浴槽水の温度が所定温度未満のときに、切替弁を動作して浴槽水を風呂往き管から熱交換器を通過して風呂戻り管に戻す第２の状態で浴槽水を風呂循環路に循環させ、風呂循環路内の浴槽水の温度が所定温度以上になったときに第１の状態に戻すことを特徴とする。このように外気温に基づいて運転した場合であっても、風呂循環路の凍結を防止できる。
【発明の効果】
【０００８】
本発明によれば、消費電力や騒音の増大を防止でき、しかも風呂循環路の配管の凍結を確実に防止することができる。
【発明を実施するための最良の形態】
【０００９】
図１は本実施形態の貯湯式給湯装置を示す全体構成図、図２は凍結防止運転時の処理を示すフローチャート、図３は本実施形態でのバイパス側の凍結防止運転の説明図、図４は本実施形態での熱交換器側の凍結防止運転の説明図である。
図１に示すように、本実施形態の貯湯式給湯装置Ａは、ヒートポンプユニット（加熱手段）１、貯湯タンクユニット２、給湯制御部３などを備えて構成されている。なお、本実施形態では、後記する貯湯タンク２１の下部から取り出される温水を低温水（低温度の水；例えば５〜２０℃程度）とし、ヒートポンプユニット１で加熱された温水を高温水（高温度の水；例えば７０〜９０℃程度）として説明している。
【００１０】
前記ヒートポンプユニット１は、圧縮機１１と、凝縮器としての冷媒−水熱交換器１２と、減圧器としての膨張弁１３と、強制空冷式の蒸発器１４で構成されたヒートポンプ回路１５と、このヒートポンプ回路１５を駆動制御するヒートポンプ制御部５とを備えている。なお、このヒートポンプ回路１５では、例えば、冷媒として二酸化炭素が用いられて超臨界ヒートポンプサイクルが構成されている。また、冷媒に二酸化炭素を用いているので、低温水を電熱ヒータなしで約９０℃の高温まで沸き上げることが可能になっている。
【００１１】
また、前記ヒートポンプユニット１では、冷媒−水熱交換器１２の前記ヒートポンプ回路１５とは別に設けられた流路の一端に、後記する貯湯タンクユニット２から延びるヒートポンプ戻り管（流出管）２５が接続され、このヒートポンプ戻り管２５に熱交換器入口温度センサＴ１が設けられている。また、冷媒−水熱交換器１２の他端には、後記する貯湯タンクユニット２から延びるヒートポンプ往き管（流入管）２６が接続され、このヒートポンプ往き管２６に熱交換器出口温度センサＴ２が設けられている。また、ヒートポンプユニット１には、外気の温度を検出するための外気温度センサＴ３が設けられている。
【００１２】
なお、前記冷媒−水熱交換器１２では、冷媒と被加熱水（低温水）とが対向して流れる対向流方式を採用しており、前記超臨界ヒートポンプサイクルによって熱交換時において冷媒が超臨界状態のまま凝縮されるため効率よく高温まで被加熱水を加熱することができる。また、冷媒−水熱交換器１２の入口側の熱交換器入口温度センサＴ１の温度と、出口側の熱交換器出口温度センサＴ２の温度との温度差が一定になるように前記した膨張弁１３または圧縮機１１を制御することで、被加熱水（低温水）の冷媒−水熱交換器１２の入口温度が５〜２０℃程度の低い温度である場合に、ＣＯＰ（エネルギー消費効率）が３．０以上の高い効率で被加熱水を加熱することが可能になっている。
【００１３】
前記貯湯タンクユニット２は、上下方向（天地方向）に細長い貯湯タンク２１を有し、この貯湯タンク２１の上部に出湯管２３、下部に給水管２４がそれぞれ貯湯タンク２１の内部と連通するように接続されている。給水管２４は水道管と接続されて、水（水道水）が供給されるようになっている。また、給水管２４には、水道管からの給水圧を所定の圧力に減圧するための減圧弁３６、給水管２４を流れる水の温度を検出する給水温度センサ３７などが設けられている。
【００１４】
前記貯湯タンク２１には、上下方向に配置された複数個の温度センサからなる貯湯温度センサＴ４が設けられている。この貯湯温度センサＴ４は、貯湯タンク２１内の上下方向の温度分布を検知するものであり、貯湯タンク２１内にどれだけの熱量が残っているかを検知するものである。
【００１５】
また、貯湯タンク２１には、その下部に前記ヒートポンプ戻り管２５の端部が、上部に前記ヒートポンプ往き管２６の端部がそれぞれ貯湯タンク２１の内部と連通するように接続されている。また、ヒートポンプ戻り管２５には循環ポンプ２７が設けられ、この循環ポンプ２７の駆動力によって、貯湯タンク２１内の被加熱水（低温水）が、ヒートポンプ戻り管２５を介して冷媒−水熱交換器１２に送り込まれ、ヒートポンプ往き管２６を介して冷媒−水熱交換器１２から送り出されるようになっている。なお、本実施形態では、循環ポンプ２７がヒートポンプユニット１側に設けられているが、これに限定されず、貯湯タンクユニット２側に設けられていてもよい。
【００１６】
前記出湯管２３は、給水管２４から分岐した分岐管３０と、給湯混合弁３１を介して接続されている。この給湯混合弁３１は、出湯管２３から取り出された高温水と、分岐管３０からの水（水道水）とを混合する弁であり、ユーザが、後記するリモコン４で設定した給湯設定温度になるように混合比率を制御できるものである。また、給湯混合弁３１の下流には給湯管３２が接続され、この給湯管３２に、給湯混合弁３１で混合された湯水の温度を検知する給湯温度センサＴ５と、湯水の流量を検知する給湯流量センサ３４とが設けられている。また、給湯管３２の末端には給湯栓３５が設けられ、この給湯栓３５が台所、浴室、洗面などに設けられる。なお、前記出湯管２３には、貯湯タンク２１の加圧を逃がすための加圧逃がし弁３８が設けられている。
【００１７】
また、本実施形態の貯湯式給湯装置Ａは、浴槽Ｂを備えている。この浴槽Ｂは、ふろ往き管４１の一端と、ふろ戻り管４２の一端とがそれぞれ接続されている。また、貯湯タンク２１内には、浴槽Ｂに貯められている湯水を加熱するためのステンレス製の蛇管よりなるふろ熱交換器４３が設けられ、このふろ熱交換器４３の入口にふろ往き管４１の他端が接続され、出口にふろ戻り管４２の他端が接続されている。なお、このふろ熱交換器４３は、例えば貯湯タンク２１の高温水が蓄積される上部寄りに位置するように配置されている。
【００１８】
前記ふろ往き管４１には、浴槽Ｂからふろ熱交換器４３へ流れる浴槽水の温度を検知するふろ往き温度センサ（温度検知手段）Ｔ６、浴槽Ｂとふろ熱交換器４３との間で浴槽水を循環させるふろポンプ４８が設けられている。前記ふろ戻り管４２には、ふろ熱交換器４３から浴槽Ｂへ流れる浴槽水の温度を検知するふろ戻り温度センサＴ７が設けられている。ふろポンプ４８を作動させることにより浴槽Ｂ内に貯められた浴槽水がふろ熱交換器４３に送られて、ふろ熱交換器４３で浴槽水が加熱されることで、浴槽Ｂ内の浴槽水の保温あるいは追い焚きが行われるようになっている。なお、ふろ往き管４１とふろ戻り管４２とで、請求項１に記載の風呂循環路が構成されている。
【００１９】
また、前記ふろ往き管４１とふろ戻り管４２には、バイパス管４９の端部がそれぞれ接続されている。このバイパス管４９は、前記ふろ熱交換器４３をバイパスさせるための配管であり、ふろ熱交換器４３寄りに設けられている。また、バイパス管４９とふろ往き管４１の接続部分には、浴槽Ｂの温水がバイパス管４９を通るようにして浴槽Ｂとの間において浴槽を循環させる第１の状態と、浴槽Ｂとふろ熱交換器４３との間において浴槽水を循環させる第２の状態に切替可能な切替弁５０が設けられている。この切替弁５０は、例えば電磁式の三方弁により構成され、後記する給湯制御部３からの出力信号に基づいて第１の状態と第２の状態とに切り替えられる。
【００２０】
また、前記ふろ往き管４１は、湯張り管４４を介して前記給湯管３２と接続されている。この湯張り管４４には、浴槽Ｂへの湯張り開始時に開弁して湯張り停止時に閉弁する湯張り弁４５と、浴槽Ｂへの湯張り量をカウントするふろ流量カウンタ４６と、浴槽Ｂ内の浴槽水が給湯管３２へ逆流するのを防止する逆止弁４７と、が設けられている。これにより、浴槽Ｂを湯張りする場合には、湯張り弁４５を開弁することで、後記するリモコン４で所望のふろ温度に設定された温水が給湯混合弁３１から湯張り管４４およびふろ往き管４１を通って浴槽Ｂに供給される。
【００２１】
また、前記貯湯タンクユニット２には、給湯制御部３が設けられている。この給湯制御部３は、ＣＰＵ（Ｃｅｎｔｒａｌ  Ｐｒｏｃｅｓｓｉｎｇ  Ｕｎｉｔ）や記憶部、入出力部などで構成され、各種温度センサＴ１〜Ｔ７からの情報などに基づいて、循環ポンプ２７、ふろポンプ４８のモータの回転速度、切替弁５０の流路切り替え、給湯混合弁３１の混合比率、湯張り弁４５の開閉などを制御する。
【００２２】
前記リモコン４は、給湯温度を設定するための給湯温度設定スイッチ４ａ、ふろ温度を設定するためのふろ温度設定スイッチ４ｂ、設定されたふろ温度の湯をリモコン４に設けられた湯張り量設定スイッチ（図示せず）で設定された湯張り量で湯張りして所定時間保温するためのふろ自動スイッチ４ｃ、追い焚きを行うための追い焚きスイッチ４ｄ、貯湯タンク２１内の温水を昼間時間帯においても一定量沸き増しさせるための沸き増しスイッチ４ｅ、給湯温度や貯湯タンク２１内の残湯量などの表示を行う液晶表示パネルからなる表示部４ｆ、ブザー音や音声案内を行うスピーカ（図示せず）、これらを総合的に制御するリモコン制御部（図示せず）などを備えている。また、リモコン４は、給湯制御部３と有線または無線により接続され、リモコン４で設定した情報が給湯制御部３に送られる。
【００２３】
次に、本実施形態の貯湯式給湯装置Ａの運転制御について説明する。
まず、貯湯式給湯装置Ａの沸き上げ運転について説明する。給湯制御部３は、電気料金が割安に設定された深夜電力時間帯になって、貯湯温度センサＴ４に基づいて貯湯タンク２１内に翌日に必要な熱量が残っていないことを検知すると、ヒートポンプ制御部５に対して沸き上げ開始指令を発する。この指令を受けたヒートポンプユニット１に設けられたヒートポンプ制御部５は、圧縮機１１を起動した後に循環ポンプ２７の駆動を開始する。続いて、貯湯タンク２１内の下部から５〜２０℃程度の低温水が取り出され、この取り出された低温水がヒートポンプ戻り管２５を介して冷媒−水熱交換器１２に送られて７０〜９０℃程度の高温に加熱される。冷媒−水熱交換器１２からヒートポンプ往き管２６に送り出された高温水は、貯湯タンク２１内の上部に投入される。ちなみに、貯湯タンク２１には、例えば、上部に高温水、下部に低温水が貯められることになるが、これはその温度差により比重差が発生し、温度境界層を形成して比重の軽い高温水が上部に、比重の重い低温水が下部に位置するので、互いに混じり合うことがない。その後、給湯制御部３では、貯湯温度センサＴ４から得られる貯湯タンク２１の温度分布情報に基づいて必要な熱量が貯湯されたことを検知すると、ヒートポンプ制御部５に対して沸き上げ停止指令を発し、圧縮機１１を停止するとともに循環ポンプ２７を停止して、沸き上げ運転を終了する。
【００２４】
また、貯湯式給湯装置Ａの給湯運転時には、ユーザが給湯栓３５を開弁することにより、給水管２４からの給水圧（背圧）により貯湯タンク２１内の高温水が出湯管２３に向けて押し出される。貯湯タンク２１から押し出された７０〜９０℃程度の高温水と、給水管２４から分岐管３０を通って供給された水とが給湯混合弁３１において、ユーザがリモコン４で設定した給湯温度となるように混合された後、給湯管３２を介して給湯栓３５から給湯される。
【００２５】
次に、本実施形態の貯湯式給湯装置Ａの凍結防止運転時の制御について図２ないし図４を参照（適宜、図１を参照）しながら説明する。
図２に示すように、給湯制御部３（図１参照）は、外気温度センサＴ３（図１参照）から得られる温度情報に基づいて外気温（図２のフローではＴ３と表記している）が５℃以下であるか否かを判断する（ステップＳ１００）。ステップＳ１００で、外気温（Ｔ３）が５℃以下ではない場合には（Ｎｏ）、ふろ往き管４１とふろ戻り管４２からなる風呂循環路は凍結しないと判断して、ステップＳ１００の処理を繰り返し、外気温（Ｔ３）が５℃以下であると判断された場合には（Ｙｅｓ）、ふろ往き管４１とふろ戻り管４２からなる風呂循環路が凍結するおそれがあると判断して、凍結防止運転を開始して、切替弁５０を第１の状態（バイパス側）に切り替え（Ｓ１０１）、ふろポンプ４８をＯＮにする（Ｓ１０２）。これにより、図３において太線で示すように、浴槽Ｂから取り出された浴槽水がふろ往き管４１、バイパス管４９、ふろ戻り管４２を通って浴槽Ｂに戻るように循環する。このように、切替弁５０を第１の状態にして、浴槽Ｂに張られた浴槽水（加熱していない温水）をバイパス管４９と浴槽Ｂとの間において循環させることにより、バイパス管４９を通るふろ往き管４１およびふろ戻り管４２からなる風呂循環路の凍結を防止することが可能になる。そして、ステップＳ１０３において、風呂循環路に浴槽水を循環させてから所定時間が経過したか否かを判断し、所定時間が経過したと判断された場合には（Ｙｅｓ）、ステップＳ１０４の処理に移行する。なお、このステップＳ１０３での所定時間は、外気温（Ｔ３）に応じて凍結するおそれのない範囲内で設定されるが、適宜変更可能であり、例えば１０分程度に設定される。
【００２６】
そして、給湯制御部３は、ステップＳ１０４において、ふろ往き温度センサＴ６から得られる温度情報に基づいてふろ温度が５℃未満であるか否かを判断する。ステップＳ１０４で、ふろ温度（図２のフローではＴ６と表記している）が５℃未満であると判断された場合には（Ｙｅｓ）、切替弁５０を第２の状態にして温水がふろ熱交換器４３を通るように切り替える（ステップＳ１０５）。これにより、図４において太線で示すように、浴槽Ｂからふろ往き管４１を通ってふろ熱交換器４３に導入された浴槽水は、貯湯タンク２１に蓄積された加熱された温水（高温水）によって加熱された後に、ふろ戻り管４２を通って浴槽Ｂに戻るようにして循環する。このように、ふろ往き管４１とふろ戻り管４２とからなる風呂循環路に、ふろ熱交換器４３で加熱された浴槽水を循環させているので、ふろ往き管４１とふろ戻り管４２からなる風呂循環路の凍結を確実に防止できる。
【００２７】
そして、ステップＳ１０６において、ふろ温度（Ｔ６）が１０℃を超えたか否かが判断される。このステップＳ１０６で、ふろ温度（Ｔ６）が１０℃を超えていないと判断された場合には（Ｎｏ）、ステップＳ１０６の処理を繰り返し、ふろ温度（Ｔ６）が１０℃を超えたと判断された場合には（Ｙｅｓ）、ふろポンプ４８をＯＦＦにして（ステップＳ１０７）、凍結防止運転を終了する。
【００２８】
一方、ステップＳ１０４において、ふろ温度（Ｔ６）が５℃未満でないと判断された場合には（Ｎｏ）、切替弁５０を第２の状態に切り替えずに、ふろポンプ４８をＯＦＦにして凍結防止運転を終了する（ステップＳ１０７）。凍結防止運転終了後は、ステップＳ１００以降の処理が繰り返される。
【００２９】
以上説明したように、本実施形態の貯湯式給湯装置Ａでは、ふろ往き管４１やふろ戻り管４２の凍結を確実に防止することができる。また、まずふろ熱交換器４３で加熱していない浴槽Ｂに張られた温水を循環させることにより凍結防止を図っているので、貯湯タンク２１内の熱がふろ熱交換器４３によって無駄に奪われることがなく、貯湯タンク２１内の熱量低下による再度の沸き上げ運転が不要になり、経済性の点において優れている。また、ふろ往き管４１やふろ戻り管４２に配管ヒータを設ける必要がないので、消費電力の増大を防止でき、しかも組み立て工程を簡略してコストダウンを図ることが可能になる。また、切替弁５０を第１の状態に切り替えて加熱していない浴槽水を循環させて凍結防止運転を実行している場合には所定時間経過後にふろポンプ４８をオフにでき、一方切替弁５０を第２の状態に切り替えてふろ熱交換器４３で加熱された浴槽水を循環させて凍結防止運転を実行している場合には、ふろ温度（Ｔ６）が所定温度まで上昇した時点でふろポンプ４８をオフにでき、つまりいずれの場合も早期にふろポンプ４８をオフにできるので、ふろポンプ４８が深夜に長時間駆動して騒音が増大するといったことを防止できる。
【００３０】
なお、浴槽Ｂに湯水が張られていない場合、ふろ往き管４１やふろ戻り管４２の風呂循環路には温水が存在しないので、ふろ往き管４１やふろ戻り管４２が凍結することはない。
【００３１】
また、本実施形態では、ふろ温度を検知する温度検知手段として、ふろ往き温度センサＴ６を用いたが、これに限定されるものではなく、ふろ戻り温度センサＴ７を用いて判断してもよい。
【図面の簡単な説明】
【００３２】
【図１】本実施形態の貯湯式給湯装置を示す全体構成図である。
【図２】凍結防止運転における処理を示すフローチャートである。
【図３】本実施形態でのバイパス管を通る凍結防止運転の説明図である。
【図４】本実施形態での熱交換器を通る凍結防止運転の説明図である。
【符号の説明】
【００３３】
１      ヒートポンプユニット（加熱手段）
２      貯湯タンクユニット
２１    貯湯タンク
４１    ふろ往き管（風呂循環路）
４２    ふろ戻り管（風呂循環路）
４３    ふろ熱交換器（熱交換器）
４９    バイパス管
５０    切替弁
Ａ      貯湯式給湯装置
Ｔ３    外気温度センサ（外気温度検知手段）
Ｔ６    ふろ往き温度センサ（温度検知手段）
【図１】
2007147153.tif 000003
【図２】
2007147153.tif 000004
【図３】
2007147153.tif 000005
【図４】
2007147153.tif 000006